(57)【要約】【課題】ユーザやサービスマンが画像形成装置を操作することなく、遠隔で画像形成条件の調整を行う。【解決手段】画像形成装置Ｍｎを通信回線Ｃｎを介して管理装置１５に接続する。管理装置１５から遠隔診断信号を遠隔動作制御手段１９に入力して感光ドラム１、各プロセス機器を動作させて記録材Ｐ上にテストパターンを形成させる。このテストパターンが形成された記録材Ｐを再給送部１２等を利用してＣＣＤセンサ１８に搬送し、テストパターンを読み取らせる。このデータを管理装置１５に送信させる。管理装置１５は、このデータに基づいて、画像形成条件調整手段１３を制御し、画像形成条件を適宜なものに設定する。【選択図】　　　図１
2004029472.tif 000002
【特許請求の範囲】
【請求項１】
画像形成装置を管理する管理装置と、通信回線を介して接続可能な画像形成装置において、
画像を形成する画像形成手段と、
前記管理装置から前記通信回線を介して遠隔診断信号が入力される受信手段と、
前記受信手段が受信した前記遠隔診断信号に基づいて、前記画像形成手段を動作させる遠隔動作制御手段と、
前記画像形成手段によって形成された画像を読み取る読取り手段と、
前記読取り手段が読み取った画像についての読取り情報を前記通信回線を介して前記管理装置に送る送信手段と、
前記読取り情報に基づいて前記管理装置から前記通信回線を介して前記受信手段に入力される調整信号に応じて、画像形成条件を調整する画像形成条件調整手段と、を備える、
ことを特徴とする画像形成装置。
【請求項２】
前記読取り手段は、前記画像形成手段によって記録材上に形成された画像を読み取る、
ことを特徴とする請求項１に記載の画像形成装置。
【請求項３】
画像が形成された記録材を前記読取り手段に搬送する搬送手段を備える、
ことを特徴とする請求項２に記載の画像形成装置。
【請求項４】
前記読取り手段は、前記記録材の搬送状態を検知するための検知手段としても使用される、
ことを特徴とする請求項３に記載の画像形成装置。
【請求項５】
画像形成装置と、通信回線を介して前記画像形成装置を管理する管理装置とを備えた画像形成システムにおいて、
画像を形成する画像形成手段と、
前記管理装置から前記通信回線を介して遠隔診断信号が入力される受信手段と、
前記遠隔診断信号に基づいて、前記画像形成手段の動作を制御する遠隔動作制御手段と、
前記画像形成手段によって形成された画像を読み取る読取り手段と、
前記読取り手段が読み取った画像についての読取り情報を前記通信回線を介して前記管理装置に送る送信手段と、
前記読取り情報に基づいて前記管理装置から前記通信回線を介して前記受信手段に入力される調整信号に応じて、画像形成条件を調整する画像形成条件調整手段と、を備える、
ことを特徴とする画像形成システム。
【請求項６】
前記読取り手段は、前記画像形成手段によって記録材上に形成された画像を読み取る、
ことを特徴とする請求項５に記載の画像形成システム。
【請求項７】
画像が形成された記録材を前記読取り手段に搬送する搬送手段を備える、
ことを特徴とする請求項６に記載の画像形成システム。
【請求項８】
前記読取り手段は、前記記録材の搬送状態を検知するための検知手段としても使用される、
ことを特徴とする請求項７に記載の画像形成システム。
【発明の詳細な説明】
【０００１】
【発明の属する技術分野】
本発明は、プリンタ，複写機，ファクシミリ，印刷機等の画像形成装置、及び画像形成システムに関する。
【０００２】
【従来の技術】
近年、プリンタ，複写機，ファクシミリ，印刷機等の画像形成装置において、ホストコンピュータにより、電話回線等の通信回線を介して複数の画像形成装置を集中的に遠隔管理することが実現されている。例えば、画像形成装置内の画像形成用の各要素を駆動し、各種の状態検出器からの信号に基づいて画像形成条件やトラブルを自己診断するモードを装置本体の制御部に組み込み、自動的に又はホストコンピュータからの命令に応じて自己診断モードを実行させ、そのチェックデータをホストコンピュータへ送信するようにしている。自己診断モードについては、例えば特願平１−１６１８５２号公報、特開平３−２７０５０号公報等に記載されている。
【０００３】
また、画像形成装置によって一旦、画像を形成し、その形成された画像から画像形成装置を診断する方法も実現されている。例えば、ユーザ又はサービスマンが自己診断モードを設定すると、画像形成装置はメモリにあらかじめ記憶されている基準画像データに基づいてプリンタ部より第１出力画像を形成する。この第１出力画像をユーザ又はサービスマンがスキャナ部に読み取らせて第２データ画像をメモリに記憶させる。画像形成装置内にある管理装置がこの第２画像データと基準画像データとを比較することにより、画像形成装置全体に含まれる種々のずれ量を算出するのである。この方法は特開２０００−１８４１１５に記載されている。
【０００４】
【発明が解決しようとする課題】
上述したような従来の遠隔管理方法では、装置自体が自己診断モードを有しているため、装置が市場に出た後に発生した不具合などに対して、すでに市場に出てしまっている装置にその不具合に対する診断をすることができない。また、新たな診断方法が確立された場合にも、すでに市場に出てしまっている装置には新しい診断方法を適用することができない。
【０００５】
さらに、形成された画像による診断において、従来の方法では、画像形成装置にて形成されたテストパターンを入力装置に読み込ませるために、ユーザ又はサービスマンが画像形成装置の操作をしなければならず、この方法を遠隔の操作のみで行うことができなかった。
【０００６】
そこで、本発明は、テストパターンの形成及びそのテストパターンのデータに基づく画像形成条件の調整を、通信回線を介して遠隔でできるようにした画像形成装置、及び画像形成システムを提供することを目的とするものである。
【０００７】
【課題を解決するための手段】
請求項１に係る発明は、画像形成装置を管理する管理装置と、通信回線を介して接続可能な画像形成装置において、画像を形成する画像形成手段と、前記管理装置から前記通信回線を介して遠隔診断信号が入力される受信手段と、前記受信手段が受信した前記遠隔診断信号に基づいて、前記画像形成手段を動作させる遠隔動作制御手段と、前記画像形成手段によって形成された画像を読み取る読取り手段と、前記読取り手段が読み取った画像についての読取り情報を前記通信回線を介して前記管理装置に送る送信手段と、前記読取り情報に基づいて前記管理装置から前記通信回線を介して前記受信手段に入力される調整信号に応じて、画像形成条件を調整する画像形成条件調整手段と、を備える、ことを特徴とする。
【０００８】
請求項２に係る発明は、請求項１に記載の画像形成装置において、前記読取り手段は、前記画像形成手段によって記録材上に形成された画像を読み取る、ことを特徴とする。
【０００９】
請求項３に係る発明は、請求項２に記載の画像形成装置において、画像が形成された記録材を前記読取り手段に搬送する搬送手段を備える、ことを特徴とする。
【００１０】
請求項４に係る発明は、請求項３に記載の画像形成装置において、前記読取り手段は、前記記録材の搬送状態を検知するための検知手段としても使用される、ことを特徴とする。
【００１１】
請求項５に係る発明は、画像形成装置と、通信回線を介して前記画像形成装置を管理する管理装置とを備えた画像形成システムにおいて、画像を形成する画像形成手段と、前記管理装置から前記通信回線を介して遠隔診断信号が入力される受信手段と、前記遠隔診断信号に基づいて、前記画像形成手段の動作を制御する遠隔動作制御手段と、前記画像形成手段によって形成された画像を読み取る読取り手段と、前記読取り手段が読み取った画像についての読取り情報を前記通信回線を介して前記管理装置に送る送信手段と、前記読取り情報に基づいて前記管理装置から前記通信回線を介して前記受信手段に入力される調整信号に応じて、画像形成条件を調整する画像形成条件調整手段と、を備える、ことを特徴とする。
【００１２】
請求項６に係る発明は、請求項５に記載の画像形成システムにおいて、前記読取り手段は、前記画像形成手段によって記録材上に形成された画像を読み取る、ことを特徴とする。
【００１３】
請求項７に係る発明は、請求項６に記載の画像形成システムにおいて、画像が形成された記録材を前記読取り手段に搬送する搬送手段を備える、ことを特徴とする。
【００１４】
請求項８に係る発明は、請求項７に記載の画像形成システムにおいて、前記読取り手段は、前記記録材の搬送状態を検知するための検知手段としても使用される、ことを特徴とする。
【００１５】
【発明の実施の形態】
以下、図面に沿って、本発明の実施の形態について説明する。なお、各図面において同一の符号を付したものは、同一の構成又は作用をなすものであり、これらについての重複説明は適宜省略した。
【００１６】
＜実施の形態１＞
図１に、本発明に係る画像形成システムの一例として、実施の形態１に係る画像形成システムの概略構成を示す。
【００１７】
同図に示す画像形成システムは、複数の画像形成装置Ｍ１，Ｍ２，……Ｍｎと、これら画像形成装置を集中管理する管理装置１５とを備えている。管理装置１５と、各画像形成装置Ｍ１，Ｍ２，……，Ｍｎとは、電話回線等の通信回線Ｃ１，Ｃ２，……，Ｃｎによって接続されている。なお、複数の画像形成装置については、以下では、画像形成装置Ｍｎを例に説明する。
【００１８】
画像形成装置Ｍｎは、電子写真方式の画像形成装置であリ、像担持体としてドラム型の電子写真感光体（以下「感光ドラム」という。）１を備えている。感光ドラム１の周囲には、帯電ローラ２、露光装置３、現像装置４、転写ローラ５、クリーニング装置６を備えている。そして、画像形成時には、感光ドラム１は、矢印Ｒ１方向に回転駆動され、帯電ローラ２によって所定の極性・電位に均一に帯電された後、露光装置３によって画像情報に対応した露光を受けて静電潜像が形成される。
【００１９】
この静電潜像は、現像部において、現像バイアスが印加された現像装置４の現像ローラにより、電荷を有する現像剤（トナー）が付着されて現像剤像（トナー像）として可視化する。
【００２０】
こうして感光ドラム１上に形成されたトナー像は、感光ドラム１の矢印Ｒ１方向の回転に伴って、感光ドラム１と転写ローラ５との間の転写ニップ部に向かって移動する。一方、給紙カセット７に収納されていた記録材Ｐ（例えば紙、透明フィルム）が、給紙ローラ８、搬送ローラ９等によって矢印Ａ方向に搬送され、さらに転写ニップ部に向けて搬送される。このとき、記録材Ｐは、検知手段としてのＣＣＤセンサ１８によって先端が検知される。そして、先端が検知されたタイミングとそのときの記録材Ｐの搬送速度とに基づいて、記録材Ｐの先端が転写ニップ部に到達するタイミングが算出される。上述の静電潜像は、感光ドラム１上に形成されるトナー像がこのタイミングに合わせて転写ニップ部に到達するように、露光装置３によって形成される。これにより、転写ニップ部に搬送された記録材Ｐの所定の位置に感光ドラム１上のトナー像が転写される。
【００２１】
トナー像転写後の感光ドラム１は、表面に残ったトナー（残留トナー）及び電荷が、それぞれクリーニング装置６、前露光器（不図示）によって除去され、次の画像形成に供される。
【００２２】
一方、トナー像転写後の記録材Ｐは、感光ドラム１表面から分離されて、定着装置１０に搬送される。記録材Ｐは、ここで定着ローラ１０ａ、加圧ローラ１０ｂによって加熱・加圧を受けて表面にトナー像が定着される。
【００２３】
こうして表面（第１面）にトナー像が定着された記録材Ｐは、片面画像形成の場合には、切り替え部材（不図示）により、矢印Ｂ方向に搬送されて排紙トレイ上の排出される。
【００２４】
これに対して両面画像形成の場合には、記録材Ｐは、切り替え部材の切り替えにより、矢印Ｃ方向に搬送され、さらに搬送方向が矢印Ｄ方向に変更されることにより表裏反転されて再給送部（再給紙トレイ）１２に搬送され、ここから転写ニップ部に向けて再給紙される。
【００２５】
そして、記録材Ｐは、上述の表面の画像形成時と同様にして、裏面（第２面）に感光ドラム１上のトナー像が転写された後、定着装置１０によってトナー像が定着され、その後、排紙トレイ１１上に排出される。
【００２６】
上述の画像形成装置Ｍｎは、さらに、画像形成条件調整手段１３と、通信手段１４と、遠隔動作制御手段１９とを備えている。
【００２７】
通信手段１４は、通信回線Ｃｎを介して前記管理装置１５側からの信号が入力される受信手段と、通信回線Ｃｎを介して画像形成装置側から信号を出力する発信手段とを有している。この通紙手段１４は、遠隔動作制御手段１９を介して前述のＣＣＤセンサ１８に接続されている。遠隔動作制御手段１９は、管理装置１５から通信回線Ｃｎ、通信手段１４を介して入力された遠隔診断信号に基づいて、画像形成手段を動作させるものである。ここで、画像形成手段とは、画像を形成するために動作させる種々のプロセス機器、ローラ等、例えば、感光ドラム１、帯電ローラ２、露光装置３、現像装置４、転写ローラ５、クリーニング装置６、給紙ローラ８、レジストローラ９、定着装置１０等をいう。画像形成条件調整手段１３は、管理装置１５から通信回線Ｃｎ、通信手段１４等を介して入力された調整信号に従って画像形成条件を変更するものである。
【００２８】
上述のＣＣＤセンサ１８によって読み取られた情報、例えば、記録材Ｐの先端や後端を検知した情報や、画像形成手段によって形成された画像についての情報は、通信手段１４、通信回線Ｃｎを介して管理装置１５に送られるようになっている。
【００２９】
管理装置１５は、画像形成装置Ｍｎを遠隔管理するものであリ、画像形成装置Ｍｎの通信手段１４に通信回線Ｃｎを介して接続されている。本実施の形態においては、管理装置１５は、後に詳述するが、画像形成手段によって記録材Ｐ上に画像を形成させ、その画像をＣＣＤセンサ１８によって読み込ませ、この読み込まれた画像についての情報が、通信手段１４、通信回線Ｃｎを介して入力される。そして、この入力された情報に基づいて、通信回線Ｃｎ、通信手段１４を介して画像形成条件調整手段１３を制御して、画像形成条件を適宜なものに調整する。
【００３０】
以下、上述構成の画像形成システムにおける画像形成装置Ｍｎの定期診断について説明する。以下では、画像形成装置Ｍｎを使用するユーザやサービスマンの手を煩わせることなく、管理装置１５による遠隔操作によって画像形成装置Ｍｎの画像形成条件を適宜なものに設定する場合を例に説明する。
【００３１】
診断時には、記録材Ｐ上に形成した画像を読み取るために、画像形成装置Ｍｎにおいて前述の両面画像形成時に使用した搬送経路を流用している。すなわち、前述の再給送部１２等を使用して、画像形成後の記録材ＰをＣＣＤセンサ１８に搬送するようにしている。これにより、画像を読み取るための特別の搬送経路は設ける必要がない。
【００３２】
すなわち、診断時には、第１面（表面）に画像形成がなされ、定着された画像は、両面画像形成時と同様に矢印Ｃ方向へ搬送されるが、両面画像形成時とは異なり、矢印Ｄ方向には搬送されずに、矢印Ｅ方向に搬送されて、再給送部１２に搬送される。そしてこの状態で、つまり表裏が反転されない状態で、ＣＣＤセンサ１８に供給されるようになっている。なお、ＣＣＤセンサによって画像が読み取られた記録材Ｐは、画像形成が行われることなく排紙トレイ１１上に排出される。
【００３３】
本実施の形態の電子写真画像形成装置は、帯電ローラ２によって帯電された感光ドラム１の電位と、現像装置４の現像ローラに印加される現像バイアスとの電位差である現像コントラストによって、画像の調整をすることが可能である。また、この現像コントラストの調整、及び形成する画像パターンの管理は、画像形成条件調整手段１３が行っている。初期の現像コントラストは、べた黒の反射濃度が１．３になるように３００Ｖに設定されている。
【００３４】
図２に、定期診断時の動作の流れを示す。同図と図１とを参照して、定期診断について詳述する。
【００３５】
管理装置１５は、サービス拠点に配設されており、通信回線Ｃ１，Ｃ２，……Ｃｎを介して、画像形成装置Ｍ１，Ｍ２，……，Ｍｎに接続されている。なお、以下の説明では説明の便宜上、これら複数の画像形成装置がすべて上述の画像形成装置Ｍｎと同様の構成であるものとして説明する。
【００３６】
管理装置１５は、複数の画像形成装置Ｍ１，Ｍ２，……，Ｍｎを定期的に診断し、また調整している。今、画像形成装置Ｍｎが定期診断の時期になったとする。管理装置１５は、通信回線Ｃｎ、通信手段１４を介して、遠隔動作制御手段１９及び画像形成条件調整手段１３に命令（遠隔診断信号）を送る（ステップＳ１）。命令の内容は、診断モードとして現像コントラストを２００Ｖから４００Ｖまで５０Ｖおきに変化させたときのテストパターン（テスト画像）を形成し、そのテストパターンを読み込んでデータ（情報）を送信せよ、というものである。このとき指示したテストパターンはべた黒である。
【００３７】
画像形成装置Ｍｎは受信した指示に従って、診断モードとして画像形成条件調整手段１３にて現像コントラストを調整し、各現像コントラストにて各記録材Ｐ上にべた黒画像を形成する（ステップＳ２）。べた黒画像定着後の記録材Ｐを両面画像形成時に搬送路（再給送部１２等）を利用して、ＣＣＤセンサ１８の位置まで搬送する。ＣＣＤセンサ１８でべた黒の反射濃度を読み取り、遠隔動作制御手段１９、通信回線Ｃｎを介して、サービス拠点にある管理装置１５へ送信する（ステップＳ３）。
【００３８】
管理装置１５に送られてきた反射濃度データと指示した現像コントラストのデータは、図３に示すようなものであった。前述したように本来この画像形成装置Ｍｎは、現像コントラストの初期設定値Ｖ０が３００Ｖにおいてべた黒の反射濃度が１．３になるように設計されているが、送られてきたべた黒の反射濃度データ（読み取り値Ｄ０）は１．２であった。管理装置１５は反射濃度を設計値Ｄａの１．３にするために必要な現像コントラストは３６０Ｖと算出する（ステップＳ４）。さらに管理装置１５は、遠隔で現像コントラストが現在の３００Ｖから調整値Ｖａの３６０Ｖになるように画像形成装置Ｍｎの画像形成条件調整手段１３を調整すべく、画像形成装置Ｍｎに対して調整信号を送る（ステップＳ５）。これにより画像形成装置Ｍｎのべた黒の反射濃度は１．３に戻る。
【００３９】
なお、本実施の形態においては、両面画像を形成するための搬送経路を、テストパターンを読み取るために記録材ＰをＣＣＤセンサ１８に搬送する搬送手段として流用している。
【００４０】
また、本実施の形態においては、テストパターンを読み取るための読取り手段としてのＣＣＤセンサ１８を、記録材Ｐの搬送状態を検知するための検知手段としても使用している。
【００４１】
上述したように、本実施の形態によると、ユーザやサービスマンが画像形成装置Ｍｎを操作することなく、画像形成装置Ｍｎは常に設計されたとおりに調整される。なお、本実施の形態では画像の調整について述べたが、例えば記録材Ｐについた汚れの原因特定や記録材Ｐが画像形成時に斜行していないかなど、ＣＣＤセンサ１８で読み取れるものであれば、同様にして画像形成装置Ｍｎ外部の管理装置１５からの診断、調整が可能である。
【００４２】
＜実施の形態２＞
本実施の形態は、上述の実施の形態１とは、ＣＣＤセンサ１８の配設位置と、テストパターンが形成された記録材Ｐの搬送経路が異なる。なお、実施の形態１と同一の構成の部材、同一の機能を有する部材等については同一の符号を付して、これらについての重複説明は適宜省略するものとする。
【００４３】
図４に、本実施の形態に係る画像形成装置Ｍｎの概略構成を示す。同図に示す画像形成装置Ｍｎは、原稿（不図示）の画像を読み取るためのスキャナ部１６と、スキャナ部１６で読み取った画像情報に基づいて画像を形成するプリンタ部１７とを備えている。
【００４４】
スキャナ部１６は、画像形成装置本体の上部に配置されており、原稿が載置される透明なガラスからなる原稿テーブル２０を有している。原稿テーブル２０の下方には、原稿テーブル２０に置かれた原稿を照明する露光ランプ（不図示）がある。原稿テーブル２０に対して露光ランプと同じ側に、露光された原稿の反射光をＣＣＤセンサ１８が読み取れるように配置されている。
【００４５】
また、通常の画像形成時に定着後の記録材Ｐを排紙トレイ１１に排出するための搬送経路（矢印Ｂ方向の搬送路）に加えて、切り替え部材（不図示）を切り替えることで、定着後の記録材Ｐをスキャナ部１６に向けて矢印Ｆ方向に搬送する搬送経路を備えている。スキャナ部１６へ搬送された記録材Ｐは、矢印Ｇ方向に搬送されながら、その画像がＣＣＤセンサ１８にて読み取られる。画像が読み取られた記録材Ｐは、矢印Ｇ´方向にスイッチバックして下方に向けて搬送され、さらに矢印Ｈ方向に搬送されて排紙トレイ１１上に排出されるようになっている。
【００４６】
本実施の形態においては、管理装置１５からの指示によってテストパターンが形成された記録材Ｐを、矢印Ｆ方向に搬送し、さらに矢印Ｇ方向に搬送しながら、固定配置されているＣＣＤセンサ１８によってテストパターン（画像）を流し読みする。読み込みの終了した記録材Ｐは、矢印Ｇ´方向にスイッチバックされ、さらに矢印Ｈ方向に搬送されて排出口４へ搬送される。ＣＣＤセンサ１８によって読み込まれた画像のデータは、遠隔動作制御手段１９、通信手段１４、通信回線Ｃｎを介して管理装置１５へ送信される。データが送信された管理装置１５は、画像形成装置Ｍｎから得たデータを基に調整値を算出し、通信回線Ｃｎを介して、画像形成装置Ｍｎの画像形成条件を調整する。
【００４７】
上述のように、本実施の形態においても、前述の実施の形態１と同様に、ユーザやサービスマンが画像形成装置Ｍｎを操作することなく、画像形成装置Ｍｎは常に設計されたとおりに調整される。また、テストパターンが形成された記録材Ｐをスキャナ部１６へ搬送する搬送経路を持つことで、プリンタ部１７に新たにテストパターンを読み取るための読取り手段を設ける必要がなくなる。すなわち、テストパターンを読み取るＣＣＤセンサ１８が、スキャナ部の、原稿を読み取るための読取り手段を流用することができる。これにより構成を簡略化することができる。
【００４８】
言い換えると、本実施の形態においては、テストパターン定着後の記録材Ｐを、画像形成装置本体上部のスキャナ部１６のＣＣＤセンサ１８に搬送し、読取り後にここから排紙トレイ１１まで搬送する搬送経路が、両面画像を形成するための搬送経路を、設けることにより、テストパターンを読み取るための専用のＣＣＤセンサを省略するコアとができる。
【００４９】
以上説明した実施の形態１，２においては、管理装置１５によって遠隔で複数の画像形成装置を管理（調整）する例を説明したが、本発明は画像形成装置は必ずしも複数ある必要はない。１台の画像形成装置を遠隔で管理する場合も適用することができる。
【００５０】
なお、画像形成装置の画像形成方式は、上述したもの以外を使用することも可能である。例えば、インクジェット方式、ワイヤドット方式、熱転写方式等の画像形成方式を採用してもよい。すなわち、本発明は、通信回線、通信手段等を介して画像形成条件を変更することができるものであれば、任意の画像形成方式を採用することができる。
【００５１】
【発明の効果】
以上説明したように、本発明によると、管理装置と画像形成装置とを通信回線によって接続し、テストパターンの形成、そのテストパターンのデータの読み取り、読み取ったデータに基づく画像形成条件の調整を、管理装置によって遠隔で行うことができるので、画像形成条件の調整のためにユーザやサービスマンが画像形成装置を操作する必要がなくなる。
【図面の簡単な説明】
【図１】実施の形態１に係る画像形成装置、及び画像形成システムの概略を示す図である。
【図２】画像形成装置の診断を遠隔で行うときの流れを示す図である。
【図３】現像コントラストの調整を説明する図である。
【図４】実施の形態２に係る画像形成装置、及び画像形成システムの概略を示す図である。
【符号の説明】
１３　　　　画像形成条件調整手段
１４　　　　通信手段（受信手段、送信手段）
１５　　　　管理装置
１８　　　　読取り手段（ＣＣＤセンサ）
１９　　　　遠隔動作制御手段
Ｃ１，Ｃ２，……，Ｃｎ通信回線
Ｍ１，Ｍ２，……，Ｍｎ画像形成装置
【図１】
2004029472.tif 000003
【図２】
2004029472.tif 000004
【図３】
2004029472.tif 000005
【図４】
2004029472.tif 000006